(57)【要約】  呼吸システムは、デュアル出口送風機を含む。送風機の第１の出口及び第２の出口の１つは、鼻インターフェイスの鼻出口の対の１つにガス流を供給し、且つ第１の出口及び第２の出口の他の１つは、鼻インターフェイスの鼻出口の対の他の１つにガス流を供給する。代替的実施形態では、第１の出口及び第２の出口の１つは、口鼻インターフェイスの鼻出口にガス流を供給し、且つ第１の出口及び第２の出口の他の１つは、口鼻インターフェイスの口出口にガス流を供給する。【選択図】図３
2019514594.tif 000002
【特許請求の範囲】
【請求項１】
デュアル出口送風機を含む呼吸システムであって、前記送風機の第１の出口及び第２の出口の１つは、鼻インターフェイスの鼻出口の対の１つにガス流を供給し、且つ前記第１の出口及び前記第２の出口の他の１つは、前記鼻インターフェイスの前記鼻出口の対の他の１つにガス流を供給するか、又は前記第１の出口及び前記第２の出口の１つは、口鼻インターフェイスの鼻出口にガス流を供給し、且つ前記第１の出口及び前記第２の出口の他の１つは、前記口鼻インターフェイスの口出口にガス流を供給する、呼吸システム。
【請求項２】
前記送風機は、
インペラと、
インペラチャンバであって、その中で前記インペラが回転するインペラチャンバと、前記第１の出口と、前記第２の出口とを含むハウジングと
を含み、
前記第１の出口は、前記インペラが第１の回転方向に回転すると、前記ハウジングからガス流を案内するように構成されており、且つ前記第２の出口は、前記インペラが反対の第２の回転方向に回転すると、前記ハウジングからガス流を案内するように構成されている、請求項１に記載の呼吸システム。
【請求項３】
前記送風機は、
インペラと、
インペラチャンバであって、その中で前記インペラが回転するインペラチャンバを含むハウジングと
を含み、
前記第１の回転方向における前記インペラの回転では、前記第１の出口からのガス流は、前記第２の出口からのガス流よりも大きく、及び
前記第２の回転方向における前記インペラの回転では、前記第２の出口からのガス流は、前記第１の出口からのガス流よりも大きい、請求項１に記載の呼吸システム。
【請求項４】
第１の回転方向における前記インペラの回転は、前記第１の出口からの第１のガス流及び前記第２の出口からの第２のガス流を発生させ、且つ
反対の第２の回転方向における前記インペラの回転は、前記第２の出口からの前記第１のガス流又は第３のガス流及び前記第１の出口からの前記第２のガス流又は第４のガス流を発生させ、及び
前記第１のガス流の流量は、前記第２のガス流の流量よりも大きく、且つ前記第３のガス流の流量は、前記第４のガス流の流量よりも大きい、請求項２又は３に記載の呼吸システム。
【請求項５】
前記第１のガス流の前記流量は、前記第３のガス流の前記流量と実質的に同じである、請求項４に記載の呼吸システム。
【請求項６】
前記送風機は、前記インペラの回転を駆動するためのモータを含み、及び前記ハウジングは、前記インペラチャンバと、前記ハウジング内の前記モータを支持するためのモータチャンバとを含む、請求項２〜５のいずれか一項に記載の呼吸システム。
【請求項７】
前記送風機は、第１のインペラと、第２のインペラとを含み、及び前記ハウジングは、第１のインペラチャンバであって、その中で前記第１のインペラが回転する第１のインペラチャンバと、第２のインペラチャンバであって、その中で前記第２のインペラが回転する第２のインペラチャンバとを含み、
前記第１のインペラと前記第２のインペラとは、共に回転するように回転自在に結合されており、前記第１のインペラは、前記第１のインペラと前記第２のインペラとが前記第１の回転方向に回転すると、前記第１の出口からガス流を発生させるためのものであり、且つ前記第２のインペラは、前記第１のインペラと前記第２のインペラとが前記第２の回転方向に回転すると、前記第２の出口からガス流を発生させるためのものである、請求項２〜６のいずれか一項に記載の呼吸システム。
【請求項８】
前記送風機は、前記第１のインペラ及び前記第２のインペラの回転を駆動するためのモータを含み、前記モータは、ロータと、ステータとを含み、前記第１のインペラと前記第２のインペラとは、前記ロータに回転自在に結合されている、請求項７に記載の呼吸システム。
【請求項９】
前記ロータは、前記第１のインペラと前記第２のインペラとの間に軸方向に配置されており、
前記ハウジングは、前記第１のインペラチャンバと前記第２のインペラチャンバとの間に軸方向に位置する前記モータのためのモータチャンバを含む、請求項８に記載の呼吸システム。
【請求項１０】
前記インペラは、遠心インペラである、請求項２〜９のいずれか一項に記載の呼吸システム。
【請求項１１】
前記ハウジングは、前記インペラチャンバからのガス流を受け入れる渦巻きチャンバを含む、請求項１０に記載の呼吸システム。
【請求項１２】
前記第１の出口は、前記ハウジングから、前記インペラの第１の回転方向に対して実質的に接線方向に延び、且つ前記第２の出口は、前記ハウジングから、前記インペラの反対の第２の回転方向に対して実質的に接線方向に延びる、請求項１〜１１のいずれか一項に記載の呼吸システム。
【請求項１３】
前記渦巻きチャンバは、前記第１のインペラチャンバ及び前記第２のインペラチャンバからのガス流を受け入れる、請求項７に従属する場合の請求項１０〜１２のいずれか一項に記載の呼吸システム。
【請求項１４】
前記ハウジングは、
前記第１のインペラチャンバからのガス流を受け入れるための第１の渦巻きチャンバであって、前記第１の出口は、前記第１の渦巻きチャンバからの前記第１のガス流を案内するように構成されている、第１の渦巻きチャンバと、
前記第２のインペラチャンバからのガス流を受け入れるための第２の渦巻きチャンバであって、前記第２の出口は、前記第２の渦巻きチャンバからの前記第２のガス流を案内するように構成されている、第２の渦巻きチャンバと
を含む、請求項７に従属する場合の請求項１０〜１２のいずれか一項に記載の呼吸システム。
【請求項１５】
前記第１の出口及び前記第２の出口は、軸方向出口である、請求項１０に記載の呼吸システム。
【請求項１６】
前記第１の出口は、前記送風機の第１の側にある軸方向出口であり、且つ前記第２の出口は、前記送風機の第２の側にある軸方向出口である、請求項１５に記載の呼吸システム。
【請求項１７】
前記ハウジングは、第１のステータリングと、第２のステータリングとを含み、各ステータリングは、複数の渦巻路を含み、前記第１の軸方向出口は、前記第１のステータリングの前記渦巻路を含み、且つ前記第２の軸方向出口は、前記第２のステータリングの前記渦巻路を含む、請求項１５又は１６に記載の呼吸システム。
【請求項１８】
各ステータリングは、複数の湾曲したベーンを含み、それぞれの前記渦巻路は、前記湾曲したベーンにより、前記ステータリング内の隣接する渦巻路から分離されている、請求項１７に記載の呼吸システム。
【請求項１９】
各ステータリングは、前記インペラ若しくは第１のインペラ及び第２のインペラのそれぞれの１つの半径方向外側周囲の半径方向外側に、又は前記インペラ若しくは第１のインペラ及び第２のインペラのそれぞれの１つの前記半径方向外側周囲に隣接して、又は前記インペラ若しくは第１のインペラ及び第２のインペラのそれぞれの１つの前記半径方向外側周囲において周方向に離間された前記複数の湾曲したベーンを含む、請求項１８に記載の呼吸システム。
【請求項２０】
前記送風機は、
インペラと、
インペラチャンバであって、その中で前記インペラが回転するインペラチャンバと、前記第１の出口と、前記第２の出口とを含むハウジングと
を含み、
第１の回転方向における前記インペラの回転は、前記第１の出口からの第１のガス流及び前記第２の出口からの第２のガス流を発生させ、且つ
反対の第２の回転方向における前記インペラの回転は、前記第２の出口からの前記第１のガス流又は第３のガス流及び前記第１の出口からの前記第２のガス流又は第４のガス流を発生させ、及び
前記第１のガス流の流量は、前記第２のガス流の流量よりも大きく、且つ前記第３のガス流の流量は、前記第４のガス流の流量よりも大きい、請求項１に記載の呼吸システム。
【請求項２１】
前記送風機は、
インペラと、
前記第１の出口と、前記第２の出口とを含むインペラハウジングと
を含み、
前記第１の出口は、前記ハウジングから、前記インペラの第１の回転方向に対して実質的に接線方向に延び、且つ前記第２の出口は、前記ハウジングから、前記インペラの反対の第２の回転方向に対して実質的に接線方向に延びる、請求項１に記載の呼吸システム。
【請求項２２】
前記鼻インターフェイスを含み、前記鼻インターフェイスは、ユーザの鼻孔の１つを通じて前記ユーザに呼吸ガス流を供給するための第１の鼻出口と、前記ユーザの鼻孔の他の１つを通じて前記ユーザに呼吸ガス流を供給するための第２の鼻出口とを含み、前記送風機の前記第１の出口は、前記鼻インターフェイスの前記第１の鼻出口と流体連通しており、且つ前記送風機の前記第２の出口は、前記鼻インターフェイスの前記第２の鼻出口と流体連通しており、
第１の回転方向における前記送風機のインペラの回転は、前記鼻インターフェイスの前記第１の鼻出口へのガス流を発生させ、且つ第２の回転方向における前記インペラの回転は、前記鼻インターフェイスの前記第２の鼻出口へのガス流を発生させる、請求項１〜２１のいずれか一項に記載の呼吸システム。
【請求項２３】
前記ユーザの前記鼻孔の１つの閉鎖を判定するためのセンシング機構と、前記インペラの前記回転方向を応答制御するためのコントローラとを含み、
前記ユーザの鼻孔の１つが少なくとも部分的に閉鎖されていることを前記センシング機構が検出する場合、前記センシング機構は、前記インペラを前記第１の回転方向及び前記第２の回転方向の１つに回転させて、前記ユーザの鼻孔の他の１つに対する流れを発生させ、この逆も同様である、請求項２２に記載の呼吸システム。
【請求項２４】
前記センシング機構は、前記ユーザの鼻孔に対する又は前記ユーザの鼻孔における圧力又は流れを検出して、前記ユーザの鼻孔の１つ又は他方が少なくとも部分的に閉鎖されているかどうかを判定するための圧力センサ又はフローセンサを含む、請求項２３に記載の呼吸システム。
【請求項２５】
前記センシング機構は、
前記ユーザの鼻孔の１つに対する又は前記ユーザの鼻孔の１つにおける圧力又は流れを検出して、前記ユーザの鼻孔の前記１つが少なくとも部分的に閉鎖されているかどうかを判定するための第１の圧力センサ又はフローセンサと、
前記ユーザの鼻孔の他の１つに対する又は前記ユーザの鼻孔の他の１つにおける圧力又は流れを検出して、前記ユーザの鼻孔の前記他の１つが少なくとも部分的に閉鎖されているかどうかを判定するための第２の圧力センサ又はフローセンサと
を含む、請求項２４に記載の呼吸システム。
【請求項２６】
ユーザの鼻孔の少なくとも１つを通じて前記ユーザに呼吸ガス流を供給するための前記鼻出口と、前記ユーザの口を通じて前記ユーザに呼吸ガス流を供給するための前記口出口とを含む前記口鼻インターフェイスを含み、
前記送風機ハウジングの前記第１の出口は、前記口鼻インターフェイスの前記鼻出口と流体連通しており、且つ前記送風機ハウジングの前記第２の出口は、前記口鼻インターフェイスの前記口出口と流体連通しており、
第１の回転方向における前記送風機のインペラの回転は、前記鼻出口へのガス流を発生させ、且つ第２の回転方向における前記インペラの回転は、前記口出口へのガス流を発生させる、請求項１〜２１のいずれか一項に記載の呼吸システム。
【請求項２７】
ユーザ入力、測定条件、又は所定条件の少なくとも１つに基づき、前記インペラの前記回転方向を制御するように構成されているコントローラを含む、請求項２６に記載の呼吸システム。
【請求項２８】
インペラと、
インペラチャンバであって、その中で前記インペラが回転するインペラチャンバと、軸方向入口と、第１の軸方向出口と、第２の軸方向出口とを含むハウジングと
を含み、
第１の回転方向における前記インペラの回転では、前記第１の出口からのガス流は、前記第２の出口からのガス流よりも大きく、及び
第２の回転方向における前記インペラの回転では、前記第２の出口からのガス流は、前記第１の出口からのガス流よりも大きい、デュアル軸方向出口送風機。
【請求項２９】
第１の回転方向における前記インペラの回転は、前記第１の出口からの第１のガス流及び前記第２の出口からの第２のガス流を発生させ、且つ
反対の第２の回転方向における前記インペラの回転は、前記第２の出口からの前記第１のガス流及び前記第１の出口からの前記第２のガス流を発生させ、及び
前記第１のガス流の流量は、前記第２のガス流の流量よりも大きい、請求項２８に記載の送風機。
【請求項３０】
前記インペラの回転を駆動するためのモータを含み、及び前記ハウジングは、前記インペラチャンバと、前記ハウジング内の前記モータを支持するためのモータチャンバとを含む、請求項２８又は２９に記載の送風機。
【請求項３１】
前記インペラは、遠心インペラである、請求項２８〜３０のいずれか一項に記載の送風機。
【請求項３２】
前記第１の出口は、前記送風機の第１の側にある軸方向出口であり、且つ前記第２の出口は、前記送風機の第２の側にある軸方向出口である、請求項２８〜３１のいずれか一項に記載の送風機。
【請求項３３】
第１のインペラと、第２のインペラとを含み、及び前記ハウジングは、第１のインペラチャンバであって、その中で前記第１のインペラが回転する第１のインペラチャンバと、第２のインペラチャンバであって、その中で前記第２のインペラが回転する第２のインペラチャンバとを含み、
前記第１のインペラと前記第２のインペラとは、共に回転するように回転自在に結合されており、前記第１のインペラと前記第２のインペラとが前記第１の回転方向に回転すると、前記第１のインペラは、前記第１の出口からガス流を発生させ、且つ前記第１のインペラと前記第２のインペラとが前記第２の回転方向に回転すると、前記第２のインペラは、前記第２の出口からガス流を発生させる、請求項２８〜３２のいずれか一項に記載の送風機。
【請求項３４】
前記第１のインペラ及び前記第２のインペラの回転を駆動するためのモータを含み、前記モータは、ロータと、ステータとを含み、前記第１のインペラと前記第２のインペラとは、前記ロータに回転自在に結合されている、請求項３３に記載の送風機。
【請求項３５】
前記ロータは、前記第１のインペラと前記第２のインペラとの間に軸方向に配置されており、
前記ハウジングは、前記第１のインペラチャンバと前記第２のインペラチャンバとの間に軸方向に位置する前記モータのためのモータチャンバを含む、請求項３４に記載の送風機。
【請求項３６】
前記ハウジングは、第１のステータリングと、第２のステータリングとを含み、各ステータリングは、複数の渦巻路を含み、前記第１の軸方向出口は、前記第１のステータリングの前記渦巻路を含み、且つ前記第２の軸方向出口は、前記第２のステータリングの前記渦巻路を含む、請求項２８〜３５のいずれか一項に記載の送風機。
【請求項３７】
前記ステータリングの前記渦巻路以外に渦巻きチャンバを有しない、請求項３６に記載の送風機。
【請求項３８】
各ステータリングは、複数の湾曲したベーンを含み、それぞれの前記渦巻路は、前記湾曲したベーンにより、前記ステータリング内の隣接する渦巻路から分離されている、請求項３６又は３７に記載の送風機。
【請求項３９】
各ステータリングは、前記インペラ若しくは第１のインペラ及び第２のインペラのそれぞれの１つの半径方向外側周囲の半径方向外側に、又は前記インペラ若しくは第１のインペラ及び第２のインペラのそれぞれの１つの前記半径方向外側周囲に隣接して、又は前記インペラ若しくは第１のインペラ及び第２のインペラのそれぞれの１つの前記半径方向外側周囲において周方向に離間された前記複数の湾曲したベーンを含む、請求項３８に記載の送風機。
【発明の詳細な説明】
【技術分野】
【０００１】
本開示は、患者又はユーザに呼吸ガス流を供給するための送風機を含む呼吸補助システム及び呼吸補助システムのための送風機に関する。
【背景技術】
【０００２】
呼吸器の健康問題を治療するために患者又はユーザに供給される呼吸ガス流を発生させるために送風機（ガス供給ユニット）が使用される。例えば、睡眠時無呼吸を治療するための持続的気道陽圧デバイス及び／又はシステムは、ユーザの気道を支持するための陽圧空気流を供給するための送風機を含む。多くの場合、送風機は、ユーザに加湿ガス流を供給するための加湿器と共に使用される。呼吸システムは、加湿器と送風機との両方を含む一体型ガス供給デバイスを含み得る。先行技術の一体型ガス供給デバイスについては、国際特許公開公報国際公開第２０１３／００９１９３号に記載されている。
【０００３】
図１にモジュール式呼吸システムの概略図を示す。システムは、導管を通じて加湿器４と流体連通する送風機２を含む。更なる導管３は、送風機２によって発生し、加湿器によって加湿されたガス流を、患者インターフェイス５を通じてユーザ１に供給する。図２に、送風機２と加湿器４とを単一の一体型ユニット内に含む一体型の送風機及び加湿ユニット６を示す更なる概略図を示す。
【０００４】
図１及び図２のシステムでは、患者インターフェイス５は、ユーザの口及び鼻を通じてユーザの気道にガス流を供給するフルフェイスマスクであり得、又は口インターフェイス若しくは鼻インターフェイスであり得る。鼻インターフェイスは、鼻の周りでユーザの顔に密閉され得、又は密閉若しくは非密閉状態のいずれかでユーザの鼻孔に係合され得る。例えば、鼻カニューレは、気密シールを形成することなくユーザの鼻孔に係合するプロングの対を提供し得る。代替的に、鼻インターフェイスは、ユーザの鼻孔に密閉係合する鼻ピローの対を含み得る。
【０００５】
本明細書において、特許明細書、他の外部文献、他の情報源を参照する場合、これは、全般的に本発明の特徴を述べるための前後関係を提供するためである。別途具体的に明示されない限り、このような外部文献の参照は、このような文献又はこのような情報源がいかなる法域でも先行技術であること又は当該技術分野における共通の一般知識の一部をなすという承認として解釈されるべきではない。
【発明の概要】
【発明が解決しようとする課題】
【０００６】
本発明の目的は、改良された送風機若しくは呼吸補助システムを提供すること、又は業界若しくは公共に有用な選択肢を少なくとも提供することである。
【課題を解決するための手段】
【０００７】
本明細書中に開示される実施形態の少なくとも１つによれば、流れ又は呼吸ガスを供給するための送風機は、デュアル出口送風機を含む呼吸（補助）システムを含み、送風機の第１の出口及び第２の出口の１つは、鼻インターフェイスの鼻出口の対の１つにガス流を供給し、且つ第１の出口及び第２の出口の他の１つは、鼻インターフェイスの鼻出口の対の他の１つにガス流を供給するか、又は第１の出口及び第２の出口の１つは、口鼻インターフェイスの鼻出口にガス流を供給し、且つ第１の出口及び第２の出口の他の１つは、口鼻インターフェイスの口出口にガス流を供給する。
【０００８】
いくつかの実施形態では、送風機は、
インペラと、
インペラチャンバであって、その中でインペラが回転するインペラチャンバと、第１の出口と、第２の出口とを含むハウジングと
を含み、
第１の出口は、インペラが第１の回転方向に回転すると、ハウジングからガス流を案内するように構成されており、且つ第２の出口は、インペラが反対の第２の回転方向に回転すると、ハウジングからガス流を案内するように構成されている。
【０００９】
いくつかの実施形態では、第１の回転方向におけるインペラの回転では、第１の出口からのガス流は、第２の出口からのガス流よりも大きく、及び
第２の回転方向におけるインペラの回転では、第２の出口からのガス流は、第１の出口からのガス流よりも大きい。
【００１０】
いくつかの実施形態では、第１の回転方向におけるインペラの回転は、第１の出口からの第１のガス流及び第２の出口からの第２のガス流を発生させ、且つ
反対の第２の回転方向におけるインペラの回転は、第２の出口からの第１のガス流又は第３のガス流及び第１の出口からの第２のガス流又は第４のガス流を発生させ、及び
第１のガス流の流量は、第２のガス流の流量よりも大きく、且つ第３のガス流の流量は、第４のガス流の流量よりも大きい。
【００１１】
いくつかの実施形態では、第１のガス流の流量は、第３のガス流の流量と実質的に同じである。
【００１２】
いくつかの実施形態では、送風機は、インペラの回転を駆動するためのモータを含み、及びハウジングは、インペラチャンバと、ハウジング内のモータを支持するためのモータチャンバとを含む。
【００１３】
いくつかの実施形態では、送風機は、第１のインペラと、第２のインペラとを含み、及びハウジングは、第１のインペラチャンバであって、その中で第１のインペラが回転する第１のインペラチャンバと、第２のインペラチャンバであって、その中で第２のインペラが回転する第２のインペラチャンバとを含み、
第１のインペラと第２のインペラとは、共に回転するように回転自在に結合されており、第１のインペラは、第１のインペラと第２のインペラとが第１の回転方向に回転すると、第１の出口からガス流を発生させるためのものであり、且つ第２のインペラは、第１のインペラと第２のインペラとが第２の回転方向に回転すると、第２の出口からガス流を発生させるためのものである。
【００１４】
いくつかの実施形態では、送風機は、第１のインペラ及び第２のインペラの回転を駆動するためのモータを含み、モータは、ロータと、ステータとを含み、第１のインペラと第２のインペラとは、ロータに回転自在に結合されている。
【００１５】
いくつかの実施形態では、ロータは、第１のインペラと第２のインペラとの間に軸方向に配置されており、
ハウジングは、第１のインペラチャンバと第２のインペラチャンバとの間に軸方向に位置するモータのためのモータチャンバを含む。
【００１６】
いくつかの実施形態では、インペラは、遠心インペラである。
【００１７】
いくつかの実施形態では、ハウジングは、インペラチャンバからのガス流を受け入れる渦巻きチャンバを含む。
【００１８】
いくつかの実施形態では、第１の出口は、ハウジングから、インペラの第１の回転方向に対して実質的に接線方向に延び、且つ第２の出口は、ハウジングから、インペラの反対の第２の回転方向に対して実質的に接線方向に延びる。
【００１９】
いくつかの実施形態では、渦巻きチャンバは、第１のインペラチャンバ及び第２のインペラチャンバからのガス流を受け入れる。
【００２０】
いくつかの実施形態では、ハウジングは、
第１のインペラチャンバからのガス流を受け入れるための第１の渦巻きチャンバであって、第１の出口は、第１の渦巻きチャンバからの第１のガス流を案内するように構成されている、第１の渦巻きチャンバと、
第２のインペラチャンバからのガス流を受け入れるための第２の渦巻きチャンバであって、第２の出口は、第２の渦巻きチャンバからの第２のガス流を案内するように構成されている、第２の渦巻きチャンバと
を含む。
【００２１】
いくつかの実施形態では、第１の出口及び第２の出口は、軸方向出口である。
【００２２】
いくつかの実施形態では、第１の出口は、送風機の第１の側にある軸方向出口であり、且つ第２の出口は、送風機の第２の側にある軸方向出口である。
【００２３】
いくつかの実施形態では、ハウジングは、第１のステータリングと、第２のステータリングとを含み、各ステータリングは、複数の渦巻路を含み、第１の軸方向出口は、第１のステータリングの渦巻路を含み、且つ第２の軸方向出口は、第２のステータリングの渦巻路を含む。
【００２４】
いくつかの実施形態では、各ステータリングは、複数の湾曲したベーンを含み、それぞれの前記渦巻路は、前記湾曲したベーンにより、ステータリング内の隣接する渦巻路から分離されている。
【００２５】
いくつかの実施形態では、各ステータリングは、インペラ若しくは第１のインペラ及び第２のインペラのそれぞれの１つの半径方向外側周囲の半径方向外側に、又はインペラ若しくは第１のインペラ及び第２のインペラのそれぞれの１つの半径方向外側周囲に隣接して、又はインペラ若しくは第１のインペラ及び第２のインペラのそれぞれの１つの半径方向外側周囲において周方向に離間された複数の湾曲したベーンを含む。
【００２６】
いくつかの実施形態では、送風機は、
インペラと、
インペラチャンバであって、その中でインペラが回転するインペラチャンバと、第１の出口と、第２の出口とを含むハウジングと
を含み、
第１の回転方向におけるインペラの回転は、第１の出口からの第１のガス流及び第２の出口からの第２のガス流を発生させ、且つ
反対の第２の回転方向におけるインペラの回転は、第２の出口からの第１のガス流又は第３のガス流及び第１の出口からの第２のガス流又は第４のガス流を発生させ、及び
第１のガス流の流量は、第２のガス流の流量よりも大きく、且つ第３のガス流の流量は、第４のガス流の流量よりも大きい。
【００２７】
いくつかの実施形態では、送風機は、
インペラと、
第１の出口と、第２の出口とを含むインペラハウジングと
を含み、
第１の出口は、ハウジングから、インペラの第１の回転方向に対して実質的に接線方向に延び、且つ第２の出口は、ハウジングから、インペラの反対の第２の回転方向に対して実質的に接線方向に延びる。
【００２８】
いくつかの実施形態では、システムは、鼻インターフェイスを含み、インターフェイスは、ユーザの鼻孔の１つを通じてユーザに呼吸ガス流を供給するための第１の鼻出口と、ユーザの鼻孔の他の１つを通じてユーザに呼吸ガス流を供給するための第２の鼻出口とを含み、送風機の第１の出口は、鼻インターフェイスの第１の鼻出口と流体連通しており、且つ送風機の第２の出口は、鼻インターフェイスの第２の鼻出口と流体連通しており、
第１の回転方向における送風機のインペラの回転は、鼻インターフェイスの第１の鼻出口へのガス流を発生させ、且つ第２の回転方向におけるインペラの回転は、鼻インターフェイスの第２の鼻出口へのガス流を発生させる。
【００２９】
いくつかの実施形態では、システムは、ユーザの鼻孔の１つの閉鎖を判定するためのセンシング機構と、インペラの回転方向を応答制御するためのコントローラとを含み、
ユーザの鼻孔の１つが少なくとも部分的に閉鎖されていることをセンシング機構が検出する場合、センシング機構は、インペラを第１の回転方向及び第２の回転方向の１つに回転させて、ユーザの鼻孔の他の１つに対する流れを発生させ、この逆も同様である。
【００３０】
いくつかの実施形態では、センシング機構は、ユーザの鼻孔に対する又はユーザの鼻孔における圧力又は流れを検出して、ユーザの鼻孔の１つ又は他方が少なくとも部分的に閉鎖されているかどうかを判定するための圧力センサ又はフローセンサを含む。
【００３１】
いくつかの実施形態では、センシング機構は、
ユーザの鼻孔の１つに対する又はユーザの鼻孔の１つにおける圧力又は流れを検出して、ユーザの鼻孔の１つが少なくとも部分的に閉鎖されているかどうかを判定するための第１の圧力センサ又はフローセンサと、
ユーザの鼻孔の他の１つに対する若しくはユーザの鼻孔の他の１つにおける圧力又は流れを検出して、ユーザの鼻孔の他の１つが少なくとも部分的に閉鎖されているかどうかを判定するための第２の圧力センサ又はフローセンサと
を含む。
【００３２】
いくつかの実施形態では、システムは、ユーザの鼻孔の少なくとも１つを通じてユーザに呼吸ガス流を供給するための鼻出口と、ユーザの口を通じてユーザに呼吸ガス流を供給するための口出口とを含む口鼻インターフェイスを含み、
送風機ハウジングの第１の出口は、口鼻インターフェイスの鼻出口と流体連通しており、且つ送風機ハウジングの第２の出口は、口鼻インターフェイスの口出口と流体連通しており、
第１の回転方向における送風機のインペラの回転は、鼻出口へのガス流を発生させ、且つ第２の回転方向におけるインペラの回転は、口出口へのガス流を発生させる。
【００３３】
いくつかの実施形態では、システムは、ユーザ入力、測定条件、又は所定条件の少なくとも１つに基づき、インペラの回転方向を制御するように構成されているコントローラを含む。
【００３４】
本明細書中に開示される実施形態の少なくとも１つによれば、デュアル軸方向出口送風機は、
インペラと、
インペラチャンバであって、その中でインペラが回転するインペラチャンバと、軸方向入口と、第１の軸方向出口と、第２の軸方向出口とを含むハウジングと
を含み、
第１の回転方向におけるインペラの回転では、第１の出口からのガス流は、第２の出口からのガス流よりも大きく、及び
第２の回転方向におけるインペラの回転では、第２の出口からのガス流は、第１の出口からのガス流よりも大きい。
【００３５】
いくつかの実施形態では、第１の回転方向におけるインペラの回転は、第１の出口からの第１のガス流及び第２の出口からの第２のガス流を発生させ、且つ
反対の第２の回転方向におけるインペラの回転は、第２の出口からの第１のガス流及び第１の出口からの第２のガス流を発生させ、及び
第１のガス流の流量は、第２のガス流の流量よりも大きい。
【００３６】
いくつかの実施形態では、送風機は、インペラの回転を駆動するためのモータを含み、及びハウジングは、インペラチャンバと、ハウジング内のモータを支持するためのモータチャンバとを含む。
【００３７】
いくつかの実施形態では、インペラは、遠心インペラである。
【００３８】
いくつかの実施形態では、第１の出口は、送風機の第１の側にある軸方向出口であり、且つ第２の出口は、送風機の第２の側にある軸方向出口である。
【００３９】
いくつかの実施形態では、送風機は、第１のインペラと、第２のインペラとを含み、及びハウジングは、第１のインペラチャンバであって、その中で第１のインペラが回転する第１のインペラチャンバと、第２のインペラチャンバであって、その中で第２のインペラが回転する第２のインペラチャンバとを含み、
第１のインペラと第２のインペラとは、共に回転するように回転自在に結合されており、第１のインペラと第２のインペラとが第１の回転方向に回転すると、第１のインペラは、第１の出口からガス流を発生させ、且つ第１のインペラと第２のインペラとが第２の回転方向に回転すると、第２のインペラは、第２の出口からガス流を発生させる。
【００４０】
いくつかの実施形態では、送風機は、第１のインペラ及び第２のインペラの回転を駆動するためのモータを含み、モータは、ロータと、ステータとを含み、第１のインペラと第２のインペラとは、ロータに回転自在に結合されている。
【００４１】
いくつかの実施形態では、ロータは、第１のインペラと第２のインペラとの間に軸方向に配置されており、
ハウジングは、第１のインペラチャンバと第２のインペラチャンバとの間に軸方向に位置するモータのためのモータチャンバを含む。
【００４２】
いくつかの実施形態では、ハウジングは、第１のステータリングと、第２のステータリングとを含み、各ステータリングは、複数の渦巻路を含み、第１の軸方向出口は、第１のステータリングの渦巻路を含み、且つ第２の軸方向出口は、第２のステータリングの渦巻路を含む。
【００４３】
いくつかの実施形態では、送風機は、ステータリングの渦巻路以外に渦巻きチャンバを有しない。
【００４４】
いくつかの実施形態では、各ステータリングは、複数の湾曲したベーンを含み、それぞれの前記渦巻路は、前記湾曲したベーンにより、ステータリング内の隣接する渦巻路から分離されている。
【００４５】
いくつかの実施形態では、各ステータリングは、インペラ若しくは第１のインペラ及び第２のインペラのそれぞれの１つの半径方向外側周囲の半径方向外側に、又はインペラ若しくは第１のインペラ及び第２のインペラのそれぞれの１つの半径方向外側周囲に隣接して、又はインペラ若しくは第１のインペラ及び第２のインペラのそれぞれの１つの半径方向外側周囲において周方向に離間された複数の湾曲したベーンを含む。
【００４６】
本明細書中に開示される実施形態の少なくとも１つによれば、デュアル軸方向出口送風機は、
インペラと、
ハウジングであって、
インペラチャンバであって、その中でインペラが回転するインペラチャンバと、
第１の軸方向出口及び第２の軸方向出口と
を含むハウジングと
を含み、
第１の出口は、インペラが第１の回転方向に回転すると、ハウジングからガス流を案内するように構成されており、且つ第２の出口は、インペラが反対の第２の回転方向に回転すると、ハウジングからガス流を案内するように構成されている。
【００４７】
いくつかの実施形態では、インペラは、遠心インペラである。
【００４８】
いくつかの実施形態では、第１の出口は、送風機の第１の側にある軸方向出口であり、且つ第２の出口は、送風機の第２の側にある軸方向出口である。
【００４９】
いくつかの実施形態では、送風機は、第１のインペラと、第２のインペラとを含み、ハウジングは、第１のインペラチャンバであって、その中で第１のインペラが回転する第１のインペラチャンバと、第２のインペラチャンバであって、その中で第２のインペラが回転する第２のインペラチャンバとを含み、
第１のインペラと第２のインペラとは、共に回転するように回転自在に結合されており、第１のインペラと第２のインペラとが第１の回転方向に回転すると、第１のインペラは、第１の出口からガス流を発生させ、且つ第１のインペラと第２のインペラとが第２の回転方向に回転すると、第２のインペラは、第２の出口からガス流を発生させる。
【００５０】
いくつかの実施形態では、ハウジングは、第１のステータリングと、第２のステータリングとを含み、各ステータリングは、複数の渦巻路を含み、第１の軸方向出口は、第１のステータリングの渦巻路を含み、且つ第２の軸方向出口は、第２のステータリングの渦巻路を含む。
【００５１】
いくつかの実施形態では、送風機は、ステータリングの渦巻路以外に渦巻きチャンバを有しない。
【００５２】
いくつかの実施形態では、各ステータリングは、複数の湾曲したベーンを含み、それぞれの前記渦巻路は、前記湾曲したベーンにより、ステータリング内の隣接する渦巻路から分離されている。
【００５３】
いくつかの実施形態では、各ステータリングは、インペラ若しくは第１のインペラ及び第２のインペラのそれぞれの１つの半径方向外側周囲の半径方向外側に、又はインペラ若しくは第１のインペラ及び第２のインペラのそれぞれの１つの半径方向外側周囲に隣接して、又はインペラ若しくは第１のインペラ及び第２のインペラのそれぞれの１つの半径方向外側周囲において周方向に離間された複数の湾曲したベーンを含む。
【００５４】
本明細書及び特許請求の範囲で「含んでいる」という用語が使用される場合、「少なくとも部分的に〜からなっている」を意味する。「含んでいる」という用語を含む本明細書及び特許請求の範囲の各文を解釈する場合、この用語に続くもの以外の特徴も存在し得る。「含む（ｃｏｍｐｒｉｓｅ）」及び「含む（ｃｏｍｐｒｉｓｅｓ）」などの関連用語も同様に解釈される。
【００５５】
本明細書中に開示される数の範囲（例えば、１〜１０）への言及は、その範囲内の全ての有理数（例えば、１、１．１、２、３、３．９、４、５、６、６．５、７、８、９、及び１０）、及びその範囲内の有理数のあらゆる範囲（例えば、２〜８、１．５〜５．５、及び３．１〜４．７）への言及も組み込み、したがって本明細書中に明示的に開示される全範囲の全部分範囲を明示的に開示する。これらは、特に意図するものの単なる例であり、列挙する最小値と最大値との間の数値のあらゆる可能な組み合わせを同様に本出願に明示的に記載すると考えるべきである。
【００５６】
本明細書で使用する場合、「及び／又は」という用語は、「及び」若しくは「又は」又はこの両方を意味する。
【００５７】
本明細書で使用する場合、名詞に続く「（ｓ）」は、この名詞の複数形及び／又は単数形を意味する。
【００５８】
本発明に関係する当業者には、添付の特許請求の範囲に定義される本発明の範囲から逸脱することなく、本発明の多くの構造の変更形態並びに広く異なる実施形態及び用途が示唆される。本開示及び本明細書中の記載は、純粋に例示であり、決して限定ではない。
【００５９】
本発明は、前述のものを含み、また以下に単なる例として記載する構造を想定する。
【００６０】
本発明の好適な実施形態を単なる例として図面を参照して記載する。
【図面の簡単な説明】
【００６１】
【図１】先行技術の呼吸システムの概略図である。
【図２】別の先行技術の呼吸システムの概略図である。
【図３】本明細書中に開示される実施形態の少なくとも１つによる呼吸システムの概略図である。
【図４】本明細書中に開示される実施形態の少なくとも１つによる送風機の送風機ハウジングを示す。
【図５Ａ】図４のハウジングを含むが、モータを図から省略した、本明細書中に開示される実施形態の少なくとも１つによる送風機の分解組立図である。
【図５Ｂ】図４のハウジングを含むが、モータを図から省略した、本明細書中に開示される実施形態の少なくとも１つによる送風機の分解組立図である。
【図６】送風機のインペラの端面図を示すためにハウジングの一部を取り外した図５Ａ及び図５Ｂの送風機を示す。
【図７】図６の線ＩＩＸ−ＩＩＸにおける図５Ａ及び図５Ｂの送風機の断面図を示す。
【図８】ハウジングの渦巻きチャンバ及びモータチャンバを示す図４の送風機ハウジングの断面図を示す。
【図９】本明細書中に開示される実施形態の少なくとも１つによる送風機の代替的な送風機ハウジングを示す。
【図１０】図９のハウジングを含む、図９の図Ｘ−Ｘにおける断面図である、本明細書中に開示される実施形態の少なくとも１つによる送風機の断面図を示す。
【図１１】図１０の送風機での使用に好適なモータ構成の断面図を示す。
【図１２】図３の呼吸システムで使用され得る典型的なカニューレの断面図を示す。
【図１３】本明細書中に開示される実施形態の少なくとも１つによる軸方向出口送風機を示す。
【図１４】送風機の側部及び各端部から示される図１３の送風機の分解組立図を示す。
【図１５】送風機の側部及び各端部から示される図１３の送風機の分解組立図を示す。
【図１６】送風機の第１の軸方向出口及び第２の軸方向出口を提供する渦巻路を示すために、送風機のインペラの外径に隣接する平面上にある、図１３に示される線ＸＶＩ−ＸＶＩにおいて切断された断面を有する図１３の送風機の断面図を示す。
【図１７】切断平面が送風機の中心を通る、図１３の送風機の断面図を示す。
【図１８】図１３の送風機のインペラを示す。
【図１９】送風機シャフト及びインペラの代替的な軸受支持構成を示す。
【図２０】本明細書中に開示される実施形態の少なくとも１つによる軸方向出口送風機を示す。
【図２１】送風機の第１の軸方向出口及び第２の軸方向出口を提供する渦巻路を示すために、送風機の第１のインペラ及び第２のインペラの外径に隣接する平面上にある、図２０に示される線ＸＸＩ−ＸＸＩにおいて切断された断面を有する図２０の送風機の断面図を示す。
【図２２】切断平面が送風機の中心を通る、図２０の送風機の断面図を示す。
【図２３】インペラの一方の側及び各端部から見た図２０の送風機のインペラを示す。
【図２４】図２０の送風機のデュアルインペラ及びロータの組立体を示す。
【発明を実施するための形態】
【００６２】
図を参照して様々な実施形態を記載する。記載する様々な実施形態における同一又は類似の構成要素を示すために全体を通して同一の参照番号を使用する。
【００６３】
本開示は、ユーザに呼吸ガス流を供給するための改良された送風機又は呼吸システムに関する。いくつかの実施形態では、ガスは、ユーザの鼻孔に係合する鼻インターフェイスを通じてユーザに供給される。鼻インターフェイスは、非密閉インターフェイスであり得、又は密閉インターフェイスであり得る。いくつかの実施形態では、鼻インターフェイスは、鼻カニューレであり得、又は代替的に、ユーザの各鼻孔を密閉する鼻ピローを有する鼻インターフェイスであり得る。各例において、鼻インターフェイスは、２つの出口を含み、各出口は、ユーザの２つの鼻孔の対応する１つにガス流を供給するためのものである。２つの出口を含む例示的な鼻インターフェイスは、図１２に示される。
【００６４】
送風機から呼吸ガス流を受け入れるユーザ又は患者の鼻孔の１つは、例えば、ユーザの鼻孔の１つにおいて粘液が増すことで閉鎖されるか又は部分的に閉鎖される場合ある。患者の鼻孔の１つが詰まるか又は部分的に詰まると、呼吸システムにより提供される呼吸ガス治療は、ユーザの両方の鼻孔があまり詰まっていないか又は部分的に詰まっていない場合に比べて有効性が低下する可能性がある。或いは、一部の場合、ユーザは、口で呼吸する方を好む場合があり、そのような状況では、ユーザの鼻孔に空気を流すこと、又はガス流の供給をユーザの鼻孔と口との間で例えば定期的に切り換えることが有益な場合がある。
【００６５】
図３の概略図を参照すると、いくつかの実施形態によるシステムは、デュアル出口送風機１０を含み、各出口１１、１２は、鼻インターフェイス５の鼻出口２１、２２の対の１つにガス流を供給する。
【００６６】
本明細書中に記載される実施形態によれば、デュアル出口送風機１０は、インペラ１５と、第１の出口１１と第２の出口１２とを含むハウジングとを含む。第１の出口１１は、インペラが第１の回転方向に回転すると、ハウジングからガス流を案内するように構成されており、且つ第２の出口１２は、インペラが反対の第２の回転方向に回転すると、ハウジングからガス流を案内するように構成されている。デュアル出口送風機１０は、送風機インペラの回転方向を単に選択することによってユーザの鼻孔の１つ又はユーザの鼻孔の他の１つにガス流を案内するための手段を提供する。ユーザの鼻孔の１つが詰まるか又は部分的に詰まると、インペラの対応する回転方向を選択することによって流れがユーザの鼻孔の他の１つに供給され得る。
【００６７】
インペラの回転は、モータ２５によって駆動される。モータは、第１の回転方向と反対の第２の回転方向との両方にインペラを回転させるように適合されている。インペラを第１の回転方向に回転させるようにモータを作動させると、ハウジングの第１の出口から出るガス流を発生させる。この流れは、鼻インターフェイスの第１の鼻出口に案内され得る。インペラを反対の第２の回転方向に回転させるようにモータを作動させると、ハウジングの第２の出口から出るガス流を発生させる。この流れは、鼻インターフェイスの第２の鼻出口に案内され得る。
【００６８】
本明細書の実施形態によるシステムは、第１の送風機出口１１と鼻インターフェイス５の第１の出口２１との間に第１の呼吸システム、及び第２の送風機出口１２と鼻インターフェイス５の第２の出口２２との間に第２の呼吸システムを含み、第１の呼吸システムと第２の呼吸システムとは、空気的に分離している。第１の呼吸システム及び第２の呼吸システムは、それぞれ対応する送風機出口１１、１２と対応する鼻インターフェイス出口２１、２２との間に延びる導管３ａ、３ｂを含み得る。いくつかの実施形態では、鼻インターフェイスは、第１のルーメンを通じて鼻インターフェイスの第１の出口２１と空気連通している第１の入口５１と、第２のルーメンを通じて鼻インターフェイスの第２の出口２２と空気連通している第２の入口５２とを含み、第１のルーメンと第２のルーメンとは、空気的に分離している。第１の導管３ａは、送風機の第１の出口１１と鼻インターフェイスの第１の入口５１との間に延び得、第２の導管３ｂは、送風機の第２の出口１２と鼻インターフェイスの第２の入口５２との間に延び得る。
【００６９】
いくつかの実施形態では、システムは、２つの加湿器を含み得る。例えば、図３の概略図によって示されているように、第１の送風機出口１２と鼻インターフェイスの第１の出口２１との間の第１の呼吸システムは、第１の加湿器４ａを含み得、第２の送風機出口１２と鼻インターフェイスの第２の出口２２との間の第２の呼吸システムは、第２の加湿器４ｂを含み得。代替的に、システムは、加湿なしで非加湿ガス流をユーザに供給し得る。更なる代替的な実施形態では、送風機入口１３を通じて送風機に入るガス流を加湿するために、送風機の上流に１つの加湿器が提供され得る。
【００７０】
いくつかの実施形態では、呼吸システムは、ユーザの鼻孔の１つの閉鎖又は部分閉鎖を判定して、インペラの回転方向を応答制御するためのセンシング機構を含む。ユーザの鼻孔の１つが少なくとも部分的に閉鎖されていることをセンシング機構が検出した場合、センシング機構は、インペラを第１の回転方向及び第２の回転方向の１つに回転させて、ユーザの鼻孔の他の１つに対する流れを発生させ得、この逆も同様である。
【００７１】
いくつかの実施形態では、センシング機構は、ユーザの鼻孔に対する又はユーザの鼻孔における圧力又は流れを検出して、ユーザの鼻孔の１つ又は他方が少なくとも部分的に閉鎖されているかどうかを判定するための圧力センサ又はフローセンサを含み得る。例えば、センシング機構は、ユーザの鼻孔の１つに対する又はユーザの鼻孔の１つにおける圧力又は流れを検出して、ユーザの鼻孔の１つが少なくとも部分的に閉鎖されているかどうかを判定するための第１の圧力センサ又はフローセンサ６１と、ユーザの鼻孔の他の１つに対する又はユーザの鼻孔の他の１つにおける圧力又は流れを検出して、ユーザの鼻孔の他の１つが少なくとも部分的に閉鎖されているかどうかを判定するための第２の圧力センサ又はフローセンサ６２とを含み得る。コントローラ４０は、ユーザの鼻孔の１つ又は他方が閉鎖されているか又は部分的に閉鎖されているかどうかに応じ、モータ２５を作動させて、インペラを第１の方向又は第２の方向に回転させるための信号をセンシング機構から受信するために設けられ得る。例えば、圧力センサ又はフローセンサは、信号を閾値と比較するコントローラに信号を提供し得、信号が、ユーザの鼻孔の１つにおける圧力又は流れが１つの鼻孔が少なくとも部分的に閉鎖されていることを示す所定の閾値を上回るか又は下回ることを示す場合、コントローラは、モータを作動させ、インペラを第１の回転方向及び第２の回転方向の１つに回転させ、閉鎖されていないユーザの鼻孔の１つにガス流を供給し得る。図３では、センサ６１、６２は、患者インターフェイスに位置するものとして示されているが、センサは、システムの別の場所、例えば送風機の出口１１、１２に又は送風機出口と鼻インターフェイスの出口との間に位置し得る。
【００７２】
いくつかの実施形態では、レスピレータシステムは、デュアル出口送風機１０を含み、第１の出口１１及び第２の出口１２の１つは、ユーザの鼻孔の少なくとも１つにガス流を供給し、第１の出口１１及び第２の出口１２の他の１つは、ユーザの口にガス流を供給する。いくつかの実施形態では、呼吸補助システムは、口鼻インターフェイスを含む。口鼻マスクは、ユーザの鼻孔の少なくとも１つを通じてユーザに呼吸ガス流を供給するための少なくとも１つの鼻出口と、ユーザの口を通じてユーザに呼吸ガス流を供給するための口出口とを含む。送風機ハウジングの第１の出口は、口鼻インターフェイスの鼻出口と流体連通しており、且つ送風機ハウジングの第２の出口は、口鼻インターフェイスの口出口と流体連通している。第１の回転方向におけるインペラの回転は、鼻出口へのガス流を発生させ、且つ第２の回転方向におけるインペラの回転は、口出口へのガス流を発生させる。システムは、ユーザ入力、測定条件、又は所定条件の少なくとも１つに基づき、インペラの回転方向を制御するように構成されているコントローラを含み得る。例えば、コントローラは、インペラを、ユーザの口に流れを供給する方向に回転するように制御し得、インペラを、ユーザの鼻孔を定期的に流すために、ユーザの鼻孔に流れを供給する反対方向に定期的に回転するように制御し得る。
【００７３】
第１の送風機と、別個の第２の送風機とを含むシステムを提供することも可能である。１つの構成では、第１の送風機は、鼻インターフェイスの鼻出口の対の１つにガス流を供給し得、且つ第２の送風機は、鼻インターフェイスの鼻出口の対の他の１つにガス流を供給し得る。別の構成では、第１の送風機は、口鼻インターフェイスの鼻出口及び口出口の１つにガス流を供給し得、且つ第２の送風機は、口鼻インターフェイスの鼻出口及び口出口の他の１つにガス流を供給し得る。
【００７４】
ここで、上述したものなどのシステムに実装するのに好適なデュアル出口送風機の例を、図４〜図８を参照して記載する。図９〜図１１を参照して記載する送風機を含む更なる代替形態も記載する。
【００７５】
図４は、送風機１０のハウジング７０を示す。図５ａ及び図５ｂは、送風機１０の分解図を示すが、送風機のモータが省略されている。インペラを駆動するのに好適であり得るモータは、国際公開第２０１３／００９１９３号に記載されており、その内容は、参照により本明細書に援用される。
【００７６】
示されているように、送風機１０は、インペラ１５と、ハウジング７０とを含む。ハウジングは、インペラチャンバであって、その中でインペラが回転して加圧ガス流を発生させるインペラチャンバ２０（図７）と、第１の出口１１と、第２の出口１２とを含む。第１の出口１１は、インペラが図６に方向Ａと示される第１の回転方向に回転すると、ハウジング７０からガス流を案内するように構成されており、第２の出口１２は、インペラが図６の方向Ｂと示される反対の第２の回転方向に回転すると、ハウジング７０からガス流を案内するように構成されている。
【００７７】
図５ａ及び図５ｂに示すように、いくつかの実施形態では、ハウジングは、組み合わせられた２つ以上の部品を含み得る。図示される実施形態では、ハウジングは、第１の又は主要ハウジング部分７１と、第１のハウジング部分７１に組み付ける第２のハウジング部分又はキャップ７２とを含む。第１のハウジング部分７１は、第１の出口及び第２の出口を含み得、第２のハウジング部分又はキャップ７２は、送風機入口１３を含み得る。
【００７８】
第１の入口１１及び第２の入口１２は、それぞれハウジング７０の渦巻きチャンバ３０から延びる導管を含む。典型的には、ポンプ内の「渦巻きチャンバ」は、ポンプの出口に向かって面積が増加する湾曲した漏斗である。しかしながら、本明細書及び特許請求の範囲では、「渦巻きチャンバ」という用語は、インペラチャンバからインペラによって圧送された空気を受け入れ、空気流の速度を減少させて相対的に高い圧力を生じさせるハウジング又はチャンバを意味するように広く解釈されるべきである。したがって、本明細書に記載される実施形態による送風機の渦巻きチャンバは、必ずしも渦巻き形状ではない。
【００７９】
インペラチャンバ内におけるインペラの回転により、送風機の入口１３からインペラチャンバ３０に空気を引き込む。入口１３は、インペラの回転軸線に対して中心に位置していることが好ましい。
【００８０】
インペラチャンバ内でインペラが回転すると、インペラは、入口からインペラチャンバに空気を引き込み、インペラチャンバ２０と渦巻きチャンバ３０との間の通路１９を通じてインペラチャンバから渦巻きチャンバに空気を押しやる。渦巻きチャンバ内に集まった空気は、インペラの回転方向に応じて、第１の出口１１又は第２の出口１２を通じて渦巻きチャンバから送られる。
【００８１】
図では、インペラは、１つの方向に回転しているときに、反対方向と比較してより多くの流れを発生させるように構成されているインペラである非対称インペラとして示されている。例えば、非対称インペラでは、インペラのブレード１６は、インペラのハブ１７から角度をなし且つ／若しくは湾曲し得、又は他にインペラが１つの方向に優先的に回転する形状であり得る。しかしながら、他の実施形態では、インペラは、例えば、直線であるか、又は他に回転方向を問わず所与の回転速度に対して所与の流量を与えるような形状の半径方向に延びるブレードを有して構成されている対称インペラであり得る。
【００８２】
いくつかの実施形態では、インペラチャンバ２０と渦巻きチャンバ３０とは、仕切り壁によって分離されている。いくつかの実施形態では、インペラチャンバは、ハウジング７０の仕切り壁３５によって渦巻きチャンバから分離されている。いくつかの実施形態では、インペラチャンバ２０と渦巻きチャンバ３０との間の通路１９は、仕切り壁内のアパーチャである。示されているように、いくつかの実施形態では、仕切り壁は、渦巻きチャンバの側壁３６まで完全には延びず、通路は、仕切り壁３５の縁部３７と側壁３６との間の間隙１９である。側壁は、送風機ハウジングの周囲側壁であり得る。いくつかの実施形態では、通路１９は、三日月形である。いくつかの実施形態では、仕切り壁と側壁との間の間隙１９は、三日月形である。例えば、図６に最も良く示されているように、間隙１９は、三日月形であり、通路の最広箇所１９ｗの両側は、最広箇所の両側の１つ又は複数の狭箇所１９ｎまで細くなっている。図６に示すように、最広箇所１９ｗは、第１の出口１１と第２の出口１２との間の中間に位置することが好ましい。インペラチャンバと渦巻きチャンバとの間の通路１９は、送風機入口１３の半径方向外側にある。通路１９が壁３５のアパーチャである実施形態では、アパーチャは、ハウジングの側壁に隣接していることが好ましい。更に、アパーチャは、第１の出口と第２の出口との間の中間にあることが好ましい。
【００８３】
いくつかの実施形態では、第１の出口１１及び第２の出口１２は、渦巻きチャンバから接線方向に又は実質的に接線方向に延びる。例えば、出口は、ハウジングから、インペラの回転軸線に対する接線から３０度未満、又は２０度未満、又は１０度未満の角度で延び得る。いくつかの実施形態では、第１の出口１１は、ハウジングから、インペラの第１の回転方向に対して実質的に接線方向に延び、且つ第２の出口１２は、ハウジングから、インペラの反対の第２の回転方向に対して実質的に接線方向に延びる。例えば、図６に示すように、第１の出口と第２の出口とは、これらの出口が平行であり、両方が１つの側方方向に延びるように、ハウジングの中心線又はインペラの回転軸線を通って延びる線上に互いの鏡像になるように配置されている。他の配置構成も可能であり、例えば、第１の出口１１と第２の出口１２とは、ハウジングから、互いに直角又は９０度になるように延び得る。更に別の代替形態では、これらの出口は、直列であり、反対の側方方向に延び得る。例えば、第１の出口１１と第２の出口１２とが下方に延びる図６を参照すると、いくつかの実施形態では、第１の出口１１は、下方に延び得、第２の出口１２は、上方に第１の出口と直列に延び得る。図に示されているように、インペラは、遠心インペラである。遠心インペラは、接線速度成分と動径速度成分とに分解することができる流れ速度を発生させる。いくつかの実施形態では、第１の出口は、ハウジングから延び、第１の回転方向に回転しているとき、インペラによって発生した空気流の接線速度成分の少なくとも大部分を受け入れるように構成されており、第２の出口は、ハウジングから延び、第２の回転方向に回転しているとき、インペラによって発生した空気流の接線速度成分の少なくとも大部分を受け入れるように構成されている。したがって、モータの回転方向を変えることによってインペラの回転方向を単に変えることにより、主にハウジングの第１の出口又は第２の出口のいずれかから空気流が案内され得る。送風機の配置構成は、モータの方向制御により、バルブ及びバルブ作動デバイスなどの他のデバイスを要することなく、選択した出口、したがってユーザの鼻孔の選択された１つ又はユーザの鼻及び口の選択された１つに流れを供給するように構成されている。
【００８４】
いくつかの実施形態では、第１の回転方向におけるインペラの回転は、第１の出口からの第１のガス流及び第２の出口からの第２のガス流を発生させ、第１のガス流は、第２のガス流よりも大きい。インペラから第１の出口及び第２の出口への流路が等しく、インペラが対称である実施形態において、反対の第２の回転方向におけるインペラの回転は、第２の出口からの第１のガス流及び第１の出口からの第２のガス流を発生させる。換言すると、所与のインペラ速度に対し、第１の回転方向において、第１の出口を通じて特定の流量が提供され、第２の回転方向において、同じ流量が第２の出口によって提供される。或いは、例えば、インペラが非対称である場合、第１の回転方向におけるインペラの回転は、第１の出口からの第１のガス流及び第２の出口からの第２のガス流を発生させ、且つ反対の第２の回転方向におけるインペラの回転は、第２の出口からの第３のガス流及び第１の出口からの第４のガス流を発生させ、第１のガス流の流量は、第２のガス流の流量よりも大きく、且つ第３のガス流の流量は、第４のガス流の流量よりも大きい。対称な送風機構成では、第３の流量は、第１の流量に実質的に等しく、第４の流量は、第２の流量に実質的に等しい。
【００８５】
いくつかの実施形態では、ハウジング１０は、送風機のハウジング内にモータを収容するためのモータチャンバ６０を提供する。いくつかの実施形態では、渦巻きチャンバ３０は、モータチャンバ６０の周囲に延びる。換言すると、モータは、環状渦巻きチャンバ３０の半径方向内側に位置する。いくつかの実施形態では、モータは、環状渦巻きチャンバの半径方向内側に位置する。モータ又はインペラのシャフトがインペラとモータとの間に延びて、インペラをモータに回転自在に結合することができるように、アパーチャがモータチャンバとインペラチャンバとの間に設けられている。モータを環状渦巻きの半径方向内側に配置することで、平らな（軸方向長さが短い）送風機構成を実現する。
【００８６】
いくつかの実施形態では、送風機は、１つ以上の電子回路基板を含み得、例えば、送風機は、モータ制御電子機器を含み得る。いくつかの実施形態では、電子機器は、送風機から遠隔に設けられ得る。このような一実施形態では、送風機へのケーブルにより、リモートモータコントローラからモータに通信並びにモータ制御電流及び／又は電圧を提供し得る。
【００８７】
図４に示される送風機の流れ性能データの表を以下に記載する。遮断流れは、出口を遮断した状態で送風機出口１１、１２において発生した圧力を示す。バイアス抵抗流れは、インターフェイスからの出口が遮断されているときに患者インターフェイス（例えば、図３の鼻カニューレ５）から出る流れである。例えば、抵抗を有するインターフェイスにおいて、１０ｃｍＨ2Ｏにおいて約３０〜４０ｌｐｍで出る漏れがある。バイアス流れは、患者による吸入及び吐出とは独立した呼吸システム内の最小の漏れである。オープンフローは、下流の流れ抵抗がない状態において出口１１、１２で得られる流量である。
【００８８】
【表１】
2019514594.tif 000003
【００８９】
表に示すように、インペラが１つの方向に回転するオープンフローでは、１つの出口の流量は、他の１つの出口の流れの約２０％である。しかしながら、この２つの出口の流れの顕著な差は、実際には認められていない。バイアス流れでは、１つの出口の流量は、他の１つの出口の流れの約８０％である。通常動作において、吐出中、送風機は、遮断流れ（流れなし）とバイアス流れとの間の範囲の流れを提供し、吸入中、バイアス流れを含む、送風機によって提供される最大流れは、１０Ｋｒｐｍにおいて約８０ｌｐｍであり得る。したがって、通常動作において、吸入中、１つの出口の流量は、他の１つの出口の流れの約３分の１であり得る。
【００９０】
図９〜図１１を参照して代替的な送風機１１０について記載する。図９に代替的なハウジング１７０が示されており、図１０にモータを省略した送風機１１０の断面図が示されている。図９のハウジングを含む送風機は、図１０に示されているように、２つのインペラ１５ａ及び１５ｂを含む。２つのインペラは軸方向に離間されている。ハウジング１７０は、第１のインペラ１５ａを受け入れるための第１のインペラチャンバ２０ａと、第２のインペラ１５ｂを受け入れるための第２のインペラチャンバ２０ｂとを含む。第１の仕切り壁３５ａは、第１のインペラチャンバ２０ａを第１の渦巻きチャンバ３０ａから分離している。第２の仕切り壁３５ｂは、第２のインペラチャンバ２０ｂを第２の渦巻きチャンバ３０ｂから分離している。いくつかの実施形態では、ハウジング１７０は、第１のインペラチャンバ及び第２のインペラチャンバの両方からのガス流を受け入れる単一の渦巻きチャンバを含み得る。図４〜図８の実施形態を参照して記載したように、各インペラチャンバは、１つ又は複数の渦巻きチャンバとアパーチャ又は間隙１９ａ、１９ｂを通じて連通する。図９及び図１０の実施形態では、ハウジングは、単一のモータチャンバ６０を含む。ステータとロータとを含むモータがモータチャンバ内に配置されている。モータチャンバ及びモータは、第１のインペラチャンバと第２のインペラチャンバとの間に軸方向に位置している。ロータと、第１のインペラと、第２のインペラとが一緒に回転するように、ロータは、第１のインペラ１５ａと第２のインペラ１５ｂとに結合されている。第１の回転方向において、第１のインペラは、第１の出口１１を通って第１の渦巻きチャンバ又は渦巻きチャンバを出るガス流を発生させる。第２の回転方向において、第２のインペラは、第２の出口１２を通って第２の渦巻きチャンバ又は渦巻きチャンバを出るガス流を発生させる。
【００９１】
図１１に、送風機１１０で使用するための例示的なロータ及びデュアルインペラ構成が示されている。モータ２５は、シャフト２８によって第１のインペラ１５ａと第２のインペラ１５ｂとに結合されたロータ２６を含む。ロータは、ステータ２７内に配置されており、軸受要素２９によって支持されており、ステータ２７に対して回転する。軸受要素は、軸受取付部３１によって支持されている。軸受取付部は、例えば、エラストマーから形成され、弾性であり得る。図示される実施形態では、軸受要素は、ステータと軸受要素との間に位置する軸受取付部３１によって支持されており、軸受要素はシャフト上に位置している。ステータは、送風機ハウジング１７０のモータチャンバ６０内に支持されている。ステータをモータチャンバ６０内に取り付けるために、弾性取付部が設けられ得る。図４〜図８を参照して記載した送風機１０で類似のモータ及びインペラの配置構成を用い得るが、１つのインペラは、モータの一端から延びるシャフト２７に結合されている。
【００９２】
図４〜図８並びに図９及び図１０に示される送風機は、遠心送風機であり、接線空気流を発生させるための、ハウジングを有する遠心インペラ（又は複数のインペラ）を含む。しかしながら、他の実施形態では、デュアル出口送風機は、軸方向空気流を発生させるための、１つ又は複数のインペラと、ハウジングとを含み得る。いくつかの実施形態では、インペラを含む送風機は、送風機の第１の側に第１の軸方向出口、及び送風機の第２の側に第２の軸方向出口を含む。第１の回転方向において、インペラは、ハウジングの第１の軸方向出口から出るガス流を発生させる。第２の回転方向において、インペラは、ハウジングの第２の軸方向出口から出るガス流を発生させる。いくつかの実施形態では、送風機は、第１のインペラを受け入れるための第１のインペラチャンバと、第２のインペラを受け入れるための第２のインペラチャンバと、第１のインペラチャンバと関連付けられた第１の軸方向出口と、第２のインペラチャンバと関連付けられた第２の軸方向出口とを有するハウジングを含む。ハウジングはまた、単一のモータチャンバを含み得る。ステータとロータとを含むモータがモータチャンバ内に配置されている。モータチャンバ及びモータは、第１のインペラチャンバと第２のインペラチャンバとの間に軸方向に位置し得る。軸方向送風機は、ロータと、第１のインペラと、第２のインペラとが一緒に回転するように、ロータが第１のインペラと第２のインペラとに結合されている、図１２に示される構成のようなデュアルインペラとロータの構成を含み得る。第１の回転方向において、第１のインペラは、ハウジングの第１の軸方向出口から出るガス流を発生させる。第２の回転方向において、第２のインペラは、ハウジングの第２の軸方向出口から出るガス流を発生させる。１つ又は複数のインペラは、遠心インペラであり得る。
【００９３】
図１３〜図１９を参照して、例示的なデュアル軸方向出口送風機が記載されている。送風機２１０は、ハウジング２７０を含む。ハウジングは、第１のハウジング部分２７１と、第２のハウジング部分２７２とを含み得る。ハウジングは、周囲壁２７５によって軸方向に離間されている、第１の壁２７３と、第２の壁２７４とを含む。第１の壁及び第２の壁と周囲壁は、組み合わされてインペラ２１５を受け入れるためのインペラチャンバ２０を形成する。第１の壁及び第２の壁は、好ましくは、平面であり、送風機のインペラの回転軸線に垂直である。図示される実施形態では、第１の壁及び第２の壁は、環状である。
【００９４】
ハウジングは、第１の中心ハブ２７６と、第２の中心ハブ２７７とを更に含む。いくつかの実施形態では、第１の中心ハブ２７６は、半径方向のリブ２７８によって第１の環状壁２７３の内部周囲に接続されている。いくつかの実施形態では、第２の中心ハブ２７７は、リブ２７９によって第２の環状壁２７４の内部周囲に接続されている。好ましくは、各ハブを各環状壁に接続しているリブは、ハブと環状壁との間に半径方向に延びる。
【００９５】
いくつかの実施形態では、第１の中心ハブ２７６が第１の環状壁２７３から軸方向に離間され、インペラチャンバ２０から軸方向に離れて配置されるように、第１の環状壁２７３と第１の中心ハブ２７６との間に延びる半径方向のリブ２７８は、軸方向延在部２７８ａと、半径方向延在部２７８ｂとを含む。これにより、第１の中心ハブ２７６と、第１の中心ハブと第１の環状壁との間に延びるリブ２７８とによって画定される凹設領域を形成する。凹設領域は、ステータ２２７と、ロータ２２６とを含むモータ２２５を受け入れるためのモータチャンバ６０を形成する。第１のハブ２７６は、ステータの支持体、第１の軸受２２９の少なくとも部分支持体としての役割を果たし、ロータ２２６及びインペラ２１５の組立体の支持を更に提供する。リブ２７８間のアパーチャ又は間隙２１３は、第１の軸方向入口２１３を提供する。これにより、モータの冷却も提供される。
【００９６】
第２の中心ハブ２７７は、第２の軸受の少なくとも部分支持体を提供し、ロータ２２６及びインペラ２１５の組立体の支持も更に提供する。いくつかの実施形態では、リブ２７９間のアパーチャ又は間隙２１４は、第２の軸方向入口２１４を提供する。
【００９７】
モータ２２５は、ステータ２２７と、ロータ２２６とを含む。ステータは、半径方向のリブ２７８によって支持されており、リブの軸方向部分２７８ａによって半径方向に配置されており、及びリブの半径方向部分２７８ｂによって軸方向に配置されている。ステータ２２７は、トロイダル巻線２２７ｂを有する環状スタック積層コア２２７ａを含む。ロータは、シャフト２２８に結合されている環状又はトロイダル磁石２２６ａを含む。シャフトの下端部は、環状磁石を受け入れるための、環状磁石２２６ａの内径に対応する外径を有する環状リベート２２８ａを有する。シャフト２２８は、軸受管の形態の円筒状管であり得る。例えば、軸受２２９は、各端部が軸受管内に配置されている。各軸受は、外部環状軸受レース／ハウジングと、内部環状軸受レース／ハウジングと、これらの間を移動可能な玉軸受又はころ軸受とを含み得る。１つの非限定的な例として、軸受は、約４ｍｍ〜８ｍｍの外径、約１．５ｍｍ〜３ｍｍの内径、及び約２ｍｍ〜４ｍｍの厚さを有し得る。
【００９８】
外部軸受レースは、内部軸受レースに対して回転する。内部軸受レースは、静止したままであり得る。代替的な形態では、平面軸受又はブッシュが代わりに使用され得る。シャフト２２８は、第１の中心ハブと第２の中心ハブとの間に支持されている。第１のハウジング部品及び第２のハウジング部品の両方は、スタブアクスル２６９ａ、２６９ｂを含み、スタブアクスル２６９ａ、２６９ｂは、中心ハブから延びる弾力及び／又は弾性突起の形態であり、シャフトの各端部において、各軸受内に延び、各軸受に結合する。突起は、各軸受の軸受レース内に延び、各軸受の軸受レースに結合している。好ましくは、スタブアクスルは、エラストマー（例えば、シリコーン）又は他の弾力及び／若しくは弾性材料から形成されており、各軸受レース内に摩擦嵌合している。或いは、スタブアクスルは、中実及び／又は剛性とすることができ、弾性及び／又は可撓性材料でオーバーモールドされている。或いは、スタブアクスルは、中実であり得る。スタブアクスル／軸受配置構成は、シャフトが、簡単に支持される手法で第１のハブ及び第２のハブに回転自在に支持／結合されることを可能にする。
【００９９】
例えば、外部軸受レースの外径は、約４ｍｍであり得る。中空シャフトは、軸受レースのすべり嵌めを可能にするために、約４ｍｍの対応する直径を有し得る。リベート２２８ａにおける外部シャフト寸法は、約５ｍｍであり得る。
【０１００】
インペラ２１５は、シャフト２２８上に結合され得る（例えば、プレス嵌め）か又はシャフト２２８と一体形成され得る。シャフトは、従来のトポロジーにおけるシャフトと同様の直径のものとすることができ、インペラの堅固な機械的結合を可能にする。軸受はシャフトの内部に取り付けられていることから、シャフトの直径は軸受の内径に影響されない。シャフトの外径は、したがって、インペラの堅固な結合を可能にするほどの適切な寸法、例えば約５ｍｍ又は代替的に約３ｍｍ〜約５ｍｍであり得る。軸受はシャフトの内部にあり、軸受の寸法（例えば、直径寸法）を、許容できる軸受速度に基づいて選択することができることから、（不必要に高い軸受速度につながる）軸受径の寸法の影響なく大径シャフトも依然として使用することができる。
【０１０１】
同様に、磁石／ロータ２２６ａ／２２６がシャフトに押し込まれる。シャフトは、堅固な結合を可能にするほどの適切な寸法であり得るという同様の利点がこの場合も当てはまる。
【０１０２】
インペラ２１５は、ハブ部分２１７と、ハブ部分から半径方向に延び、ハブ部分に接続している（完全な長さの）ブレード（「ベーン」と呼ばれることもある）２１６とを含む。図示される実施形態では、ブレードは、ハブから半径方向に延びるが、他の配置構成も可能であり得、例えば、ブレードは、インペラの回転方向に対して前方に角度をなし得る。ブレードは、平坦若しくは直線であり得、又はブレードは、湾曲し得る。環状リブ／リング２１８は、完全な長さのブレード間に延び、ブレードの周囲に向かって剛性を与える。図１７に示すように、リングは、外側半径方向縁部及び内側半径方向縁部に向かって厚さが減少し得る。ハブの途中まで延びる複数の短いスタブ（部分的な長さの）ブレード２１６ｂ（「スプリッタブレード」とも称される）が、完全な長さのブレード２１６間に空間をあけて配置されている。環状リブ２１８もスタブブレード２１６ｂ間に延びることで、スタブブレード２１６ｂを完全な長さのブレードにより支持する。スタブブレードは、ハブにおける空隙を減少させる、ハブまで延びる材料を必要とすることなく、付加的なブレードによって通常得られる付加的な圧力を提供する。ハブにおける空隙の減少は、送風機２１０の最大流れ性能を低減する。ブレードの数が多すぎる（したがって、ブレードが多すぎることによりハブにおける空隙が少なすぎる）場合、入口流が閉塞し、送風機の出口空気流を制限する。
【０１０３】
材料特性及び構築技法では、液体の密度が高いことから、液体を圧送する場合、ブレード数を増加させると有利であるとされている。例えば、回転速度（Ｈｚ）をブレードの数で乗じ、ブレード通過周波数を求める。ヒトの聴覚は、３００Ｈｚ〜１５ｋＨｚのトーン入力に敏感であるため、音楽的なものではない場合には騒音として分類する。高周波の音波は、低周波の騒音に比べて減衰が容易である。典型的なＣＰＡＰ（持続的気道陽圧）送風機は、約１８０毎秒回転数の回転速度を有する。したがって、減衰特性を向上させるためにブレード数を増加させると有利である。７、１１、１３、１７、１９及び２３などの不等の異なる素数は、ロータとステータとの間の一般的な部分相互作用の減少を促進する。別の例として、流れ面積を急激に増加させることによる流体の減速は、境界層分離、流れの反転、及び乱流損失につながる可能性がある。拡散メカニズムによる圧力損失の回復では、ブレード間の角度は１２度を超えるべきではないとされている。全周（３６０度）をブレード厚さ角度と流路角度との合計によって除すると、最適な拡散のための最小ブレード数を算出することができる。最適なものより多くのブレードを付加すると、流路寸法が減少し、圧力損失が増加する。
【０１０４】
しかし、単一のブレードが支持しなければならない力を分散させるため、且つ騒音除去を補助するためにブレード数を増加させると、インペラ内の流路の寸法が減少し、不利になる。本発明者らは、スタブ／スプリッタブレードを使用することによってこの課題を克服している。ハブの近傍における閉塞を最小にするために、いくつかのブレードが先端を切り取られ得、これは、スプリッタブレードと呼ばれる。スプリッタブレードは、その荷重の一部をハブに伝達するために支持円板又は覆い上に配置され得る。しかし、ブリスク（ｂｌｉｓｋ）（ブレード付きディスク）及び覆い付きインペラは、回転モーメントがかなり高くなる。本発明者らは、記載したようにスプリッタブレードをリブ２１８上に支持することによってこれを回避している。これにより、覆い又は円板にかかる慣性を低減すると共に閉塞も最小にする。
【０１０５】
ハウジングは、第１の壁２７３を取り囲む第１のステータリング２８１と、第２の壁２７４を取り囲む第２のステータリング２８２とを含む。各ステータリングは、外部周囲壁２８３と、内部周囲壁２８４とを含む。図に示すように、いくつかの実施形態では、第１の及び／又は第２のステータリングの外部周囲壁は、ステータリングから軸方向に延びて、インペラチャンバ２０の周囲壁２７５を形成している。図示される実施形態では、インペラチャンバの周囲壁２７５は、第１のステータリングの外部周囲壁２８３と一体形成されていると共に、第１のステータリングの外部周囲壁２８３から軸方向に延びる。第２のハウジング部分２７２の第２のステータリング２８２の外部周囲壁２８４は、第１のハウジング部分２７１のインペラハウジング２０の周囲壁２７５に当接している。第１のハウジング部品２７１と第２のハウジング部品２７２とは、差込みピン、バンプ、スナップ嵌合、接着剤、超音波若しくは摩擦溶接、又は任意の他の適切な手段によって互いに合わせられ得る。ステータリングは、流路の固定リングである。
【０１０６】
第１のステータリング２８１及び第２のステータリング２８２のそれぞれにおいて、内部周囲壁２８３と外部周囲壁２８４との間に、インペラ２１５からの空気流を受け入れて減速し、圧力を生成するための例えば湾曲したチャネル２８５、２８６（図１６を参照されたい）が形成されている。したがって、前述の実施形態のような渦巻きチャンバよりもむしろ、図１３〜図１９の軸方向出口実施形態では、第１のステータリング２８１及び第２のステータリング２８２のそれぞれが、リング内に周方向に離間された小さい渦巻きチャンバ又は渦巻路２８５、２８６のリングを提供する。渦巻路２８５、２８６は、インペラ２１５の半径方向外側に位置するか、又はインペラのインペラブレード２１６、２１６ｂの半径方向外側周囲に隣接して位置するか若しくはインペラのインペラブレード２１６、２１６ｂの半径方向外側周囲に位置する。
【０１０７】
第１のステータリング２８１及び第２のステータリング２８２は、第１の軸方向出口２８５及び第２の軸方向出口２８６を提供する。第１のステータリング２８１及び第２のステータリング２８２の渦巻路２８５、２８６は、第１の軸方向出口及び第２の軸方向出口を提供する。したがって、第１の軸方向出口及び第２の軸方向出口のそれぞれは、複数の出口経路を含み、各出口経路は、渦巻路である。空気流の速度が渦巻路に沿って減少し、流れの圧力が増加するように、渦巻路は、渦巻路の少なくとも途中まで空気流の方向に垂直に増加する面積を有する。例えば、周方向若しくは半径方向の幅又はこの両方は、渦巻路のインペラチャンバ端部から渦巻路の出口端部まで寸法が増加し得る。
【０１０８】
第１のステータリング２８１の渦巻路２８５は、第１の回転方向に回転しているとき、第２のステータリング２８２の渦巻路２８６に比べて、空気流の接線速度成分のより大きい部分をインペラ２１５から受け入れるように構成されている。また、第２の反対の回転方向に回転するインペラでは、第２のステータリング２８２の渦巻路２８６は、第１のステータリング２８１の渦巻路２８５に比べて、インペラ２１５から空気流の接線速度成分のより大きい部分を受け入れるように構成されている。いくつかの実施形態では、第１のステータリング２８１の渦巻路２８５は、インペラチャンバ２０から延び、第１の回転方向に回転しているとき、インペラ２１５によって発生した空気流の接線速度成分の少なくとも大部分を受け入れ、第２のステータリング２８２の渦巻路２８６はインペラチャンバ２０から延び、第２の回転方向に回転しているとき、インペラ２１５によって発生した空気流の接線速度成分の少なくとも大部分を受け入れる。したがって、モータ２２５の回転方向を変えることによってインペラ２１５の回転方向を単に変えることにより、ハウジングの第１の軸方向出口２８５又は第２の軸方向出口２８６の主にいずれかからの空気流が案内され得る。好適な実施形態では、インペラ２１５は、対称なインペラであり、第１のステータリング２８１と第２のステータリング２８２とは同一であるが、第１の回転方向におけるインペラの回転が第１の出口からの第１のガス流及び第２の出口からの第２のガス流を発生させ、且つ反対の第２の回転方向におけるインペラの回転が第２の出口からの第１のガス流及び第１の出口からの第２のガス流を発生させるように、１つのステータリングは、インペラの回転軸線上で他の１つのステータリングに対して１８０度反転されている。第１のガス流は、第２のガス流よりも大きい。換言すると、所与のインペラ速度に対し、第１の回転方向において、第１の出口２８５を通じて特定の流量が提供され、第２の回転方向において、同じ流量が第２の出口２８６によって提供される。しかしながら、代替的な実施形態では、インペラ及び／又はステータリングは、第１の回転方向及び第２の回転方向において、所与の速度に対し、第１の軸方向出口及び第２の軸方向出口から異なる流れを提供するように構成され得る。
【０１０９】
図１６に最も良く示されているように、第１のステータリングの渦巻路２８５は、インペラチャンバ２０から、第１の回転方向において、送風機の第１の軸方向Ｉに向かって回転するインペラ２１５の接線方向から湾曲する２８１。第２のステータリング２８２の渦巻路２８６は、インペラチャンバ２０から、第２の反対側の回転方向において、送風機の第２の軸方向ＩＩに向かって回転するインペラの反対側の接線方向から湾曲する。換言すると、第１のステータリングの渦巻路２８５は、第１の軸方向Ｉから第２の回転方向に回転するインペラの接線方向に向かって湾曲し、第２のステータリング２８２の渦巻路２８６は、第２の軸方向ＩＩから第１の回転方向に回転するインペラの反対側の接線方向に向かって湾曲する。
【０１１０】
また、図１６に最も良く示されているように、各ステータリング２８１、２８２において、各渦巻路２８５、２８６は、湾曲したリブ又はベーン２８７により、隣接する渦巻路から分離されている。いくつかの実施形態では、各湾曲したリブ２８７は、リブの軸方向長さに沿って、インペラチャンバからリブの軸方向出口端部に向かって増加する、ステータリングの周方向に延びる幅を有する。いくつかの実施形態では、湾曲したリブ２８７の周方向幅は、リブのインペラチャンバ端部の箇所まで減少する。
【０１１１】
モータ２２５は、インペラを回転させて所望の出力空気流（圧力及び／又は流量の両方）を生成するために、電源と、コントローラとを使用して制御される。空気は、インペラの回転により、冷却を提供するためにモータ上を含め、軸方向入口を形成するアパーチャ２１３、２１４内に引かれ、インペラのブレードにより第１のステータリング２８１及び第２のステータリング２８２に案内される。第１の回転方向では、より大きい圧力／流れが第２の軸方向出口２８６よりも第１の軸方向出口２８５において発生するように、インペラによって発生した空気流の接線速度成分のより多くが第２のステータリング２８２よりも第１のステータリング２８１によって受け入れられる。第２の回転方向では、より大きい圧力／流れが第１の軸方向出口２８５よりも第２の軸方向出口２８６において発生するように、インペラによって発生した空気流の接線速度成分のより多くが第１のステータリング２８１よりも第２のステータリング２８２によって受け入れられる。したがって、いくつかの実施形態では、第１の回転方向におけるインペラの回転は、第１の出口２８５からの第１のガス流、第２の出口２８６からの第２のガス流を発生させ、第１のガス流は、第２のガス流よりも大きい。各ステータリングは、流れを減速して圧力を生成し、流れは、送風機のステータリング／軸方向出口を軸方向に出るように案内される。
【０１１２】
いくつかの実施形態では、送風機は、単一の軸方向入口のみを含み得る。例えば、送風機は、第１の環状壁２７３から第１のハブ２７６を支持するリブ２７８間に間隙又はアパーチャ２１３を含む第１の軸方向入口２１３のみを含み得る。第２の壁２７４は、ハウジング２７０の周囲壁２７５内に延びるディスク又はプレート又は連続的なカバーであり得、第２の中心ハブ２７７は第２の壁２７４の中心に形成されており、第２の中心ハブの周りにリブ及び対応するアパーチャはない。或いは、送風機は、第２の環状壁２７４から第２のハブ２７７を支持するリブ２７９間に間隙又はアパーチャ２１４を含む第２の軸方向入口２１４のみを含み得る。第１の壁２７３は、環状部分内の半径方向に、モータ２２５を受け入れるための環状壁部分と、凹設壁部分とを含み得、第１の中心ハブ２７６は、凹設部分の中心に形成されており、第１の中心ハブの周りにリブ及び対応するアパーチャはない。
【０１１３】
図１９を参照すると、別の代替形態では、スタブアクスルは、軸受の全体に延びない可能性がある。むしろ、各スタブアクスルは、軸受内の一部のみに延びる（例えば、スタブアクスル２６９ｃを参照されたい）か又は軸受に接触するのみ（例えば、スタブアクスル２６９ｄを参照されたい）である可能性がある。これら配置構成は、十分な支持をなお提供し、回転を可能にする。
【０１１４】
モータの他のトポロジーも可能であり、記載したものは単に例示である。例えば、ブラシ付き又はブラシレスＤＣモータ、ＡＣモータ、インダクタンスモータ、又は可変リラクタンスモータが使用され得る。ロータ及びステータは、記載したもの以外の形態を取ることができる。
【０１１５】
記載したデュアル軸方向実施形態は、いくつかの利点を有する。記載したデュアル軸方向実施形態は、プロファイル及び／又は平面の両方においてフットプリントを低減した送風機を提供する。小さいフットプリントは、小さいハウジングを可能にする。小さいフットプリントの理由の１つは、ステータリングが、１つ又は複数の渦巻きチャンバを省略することを可能にし、送風機の全体的な直径及び／又は高さを低減すると共に、ハウジング直径に対するブレードの長さの比率も増加させることである（即ち、ブレードの長さのためのスペースは、渦巻きチャンバの存在によって低減されず、渦巻きチャンバを有するハウジングに比べて、利用可能なフットプリント直径のより多くをブレードの長さに使用することを可能にする）。
【０１１６】
実施形態はまた、より小型の（即ち直径、厚さ及び／又は重量が小さい）インペラの使用を可能にする。これは、更に、より小型／軽量の送風機及び／又は慣性が小さい送風機をもたらす。より小型／軽量のトポロジーは、送風機を、ポータブルで、小型化された状態で及び／又は頭部若しくはマスク取付式のＣＰＡＰ、高流量治療、又は他の呼吸装置で使用することを可能にする。
【０１１７】
一例として、インペラは、直径約４８ｍｍのリングの内部に約４７ｍｍの直径を有し得、９８％のハウジング直径に対するブレード長さの比率を提供する。別の例は、半径約２０ｍｍのハウジング内に約１８ｍｍのブレードであり、９０％の配分である。これらは単なる例示であり、他の直径も可能である。送風機の典型的な容器／フットプリントは、
・直径：≦約５２ｍｍ、
・高さ：≦約２０ｍｍ、
・重量：≦約５０ｇ（例えば、２７ｇ）
であり得る。
【０１１８】
これら寸法の小型インペラは、上述の用途での使用に適していない。これは、通常の速度（毎分回転数）で動作する場合、その空気流特性が、必要な治療を提供するのに不十分な（例えば、この性質の小型インペラによって発生した流量及び／又は圧力が十分でない）ことが理由である。更に、これらの速度は、いくつかの欠点をもたらすことから、これらのインペラを高速で駆動して必要な流量及び／又は圧力を生成することは不可能であった。例えば、速度を増加させると、軸受は、より高い速度及び／又は温度で動作する。これにより、セラミック、より高価な空気軸受又は流体軸受などの特殊な軸受の使用が必要になる。軸受の速度を低減するために、より小径の軸受レース及び軸受を使用する必要がある。これにより、シャフトがなお軸受レースの中心を通ることができるように、シャフト直径を低減することが必要になる。より小径のシャフトを使用する場合、例えば、一体設計又は摩擦嵌合によってインペラ及び／又はロータ磁石を取り付けることがはるかに困難である。これを実施可能な状態で行うには製造公差が厳密になりすぎる。したがって、小型のインペラの収容は、現在まで実現不可能であった。別の代替形態は、複数のインペラステージを有する送風機を使用することであるが、これにはより費用がかかり、大型となり、製造がより困難になる。
【０１１９】
図１３の実施形態は、これらの課題の１つ以上を克服することができ、単一ステージ送風機におけるより小型のインペラの使用を可能にする。使用されるシャフトは、中空であるか又は少なくとも部分的に中空である。軸受は、シャフトの内部に取り付けられている。これは、２つのことを可能にする。第１に、シャフト直径を前述のものと同一又は類似の寸法のものとすることを可能にするため、インペラ及び／又はロータ（又は磁石）を通常の手法でシャフトに組み込むか又は取り付けることができ、第２に、軸受が内部に配置されていることから、（同一直径のシャフトをなお有しながらも）より小径の軸受の使用を可能にする。したがって、これにより、インペラがより高速で回転し、より小径のインペラで必要な流量及び／又は圧力を生成することを可能にする。しかし、インペラ／シャフトが高速で動作しているにもかかわらず、より小径の軸受は、従来使用されているより大径の軸受に比べて低速で動作し、上述の高速に関する課題を回避する。スタブアクスルは、したがって、軸受の内レースへの接続を可能にし、スタブアクスルの弾力／弾性は、シャフトが回転する際の弾力を可能にする。この配置構成はまた、シャフト及び／又は軸受における渦電流を低減又は排除する。渦電流は、軸受を劣化させるおそれがある。
【０１２０】
加えて、スタブブレード並びに空気入口の数及び／又は寸法の増加は、より短いブレードの長さからより大きい圧力を発生させることを可能にする。
【０１２１】
軸方向出口は、送風機フットプリントを増加する可能性のある接線出口ダクトの必要を排除する。
【０１２２】
この配置構成は、低減されたフットプリント又はより低い（低い）プロファイルを提供する単一ステージ（デュアル）軸方向入力／デュアル軸方向出力送風機も可能にする。記載されている実施形態は、渦巻きチャンバを有しないために寸法も減少する。ステータリングは、静圧を生成する。いくつかの実施形態では、軸方向気流入口は、モータのステータの冷却を可能にする。
【０１２３】
ここで、図２０〜図２４を参照して記載する更なる実施形態では、デュアル軸方向出口送風機３１０は、図２３に示されているように、２つのインペラ３１５ａ及び３１５ｂを含み得る。２つのインペラは、軸方向に離間されている。ハウジング３７０は、第１のインペラ３１５ａを受け入れるための第１のインペラチャンバ２０ａと、第２のインペラ３１５ｂを受け入れるための第２のインペラチャンバ２０ｂとを含む。
【０１２４】
ハウジングは、周囲壁３７５ａによって軸方向に離間されている、第１の壁３７３ａと、第２の壁３７４ａとを含む。先の単一のインペラの実施形態に関して上述したように、第１の壁及び第２の壁と周囲壁とは、組み合わされて、第１のインペラ３１５ａを受け入れるための第１のインペラチャンバ２０ａを形成する。
【０１２５】
付加的に、ハウジング３７０は、第２の周囲壁３７５ｂによって軸方向に離間されている、第３の壁３７３ｂと、第４の壁３７４ｂとを含む。第３の壁及び第４の壁と第２の周囲壁とは、組み合わされて第２のインペラ３１５ｂを受け入れるための第２のインペラチャンバ２０ｂを形成する。図示される実施形態では、第１の壁、第２の壁、第３の壁、及び第４の壁は、環状である。第１のインペラチャンバ２０ａと第２のインペラチャンバ２０ｂとは、同一であり得るが、１つのインペラチャンバは、他のインペラチャンバに対してインペラの回転軸線上で１８０度反転されている。
【０１２６】
ハウジングは、第１の中心ハブ３７６と、第２の中心ハブ３７７とを更に含む。いくつかの実施形態では、第１の中心ハブは、半径方向のリブ３７８によって第１の環状壁３７３ａの内部周囲に接続されている。いくつかの実施形態では、第２の中心ハブ３７７は、リブ３７９によって第３の環状壁３７３ｂの内部周囲に接続されている。好ましくは、各ハブを各環状壁に接続しているリブは、ハブと環状壁との間に半径方向に延びる。
【０１２７】
第１のハブ３７６は、第１の軸受２２９の少なくとも部分支持体を提供し、ロータ２２６及びデュアルインペラ３１５ａ、３１５ｂの組立体の支持も更に提供する。リブ３７８間のアパーチャ又は間隙３１３は、第１の軸方向入口を提供する。第２の中心ハブ３７７は、第２の軸受２２９の少なくとも部分支持体を提供し、ロータ２２６及びデュアルインペラ３１５ａ、３１５ｂの組立体の支持も更に提供する。いくつかの実施形態では、リブ間のアパーチャ又は間隙３１４は、第２の軸方向入口を提供する。
【０１２８】
図２０の実施形態において、ハウジング３７０は、単一のモータチャンバ６０を含む。ステータ２２７とロータ２２６とを含むモータがモータチャンバ内に配置されている。モータチャンバ及びモータは、第１のインペラチャンバ２０ａと第２のインペラチャンバ２０ｂとの間に軸方向に位置している。例として及び示されているように、モータチャンバ６０は、ハウジング３７０の第２の壁と第４の壁との間に延びる周囲壁によって提供され得る。ロータと、第１のインペラと、第２のインペラとが一緒に回転するように、ロータ２２６は、第１のインペラ３１５ａ及び第２のインペラ３１５ｂに結合されている。
【０１２９】
図２４に、送風機３１０で使用される例示的なロータ及びデュアルインペラの構成が示されている。ロータ及びインペラの配置構成は、図１７を参照して上述したものと類似するか又は同一であり得るが、ロータ磁石２２６ａをシャフト３２８に沿った中間において支持するのに十分な長さのシャフト３２８を有すると共に、シャフトの各端部に位置するか又はロータ磁石のいずれかの軸方向側のシャフト上に位置する第１のインペラ３１５ａ及び第２のインペラ３１５ｂを有する。シャフトは、２つの部品で形成され、ロータ内に若しくはロータにプレス嵌めされ得、又は他に互いに固定され得る。シャフトの各部品は、２つのインペラのそれぞれの１つにプレス嵌めされ得、又は他に２つのインペラのそれぞれの１つに接続されるか若しくは２つのインペラのそれぞれの１つと一体形成され得る。単一のインペラを含む図１３の先の実施形態で記載したように、ロータは、ステータ２２７内に配置されており、第１のハブ３７６及び第２のハブ３７７にあるスタブアクスル２６９ａ、２６９ｂ上に軸受要素により支持されている。ステータをモータチャンバ６０内に取り付けるために弾性取付部が設けられ得る。
【０１３０】
第１のインペラ３１５ａと第２のインペラ３１５ｂとは、同一であり得るが、１つのインペラは、他のインペラに対してインペラの回転軸線上で１８０度反転されている。例示的な第１のインペラ及び第２のインペラを図２３により詳細に示す（第１のインペラと第２のインペラとは同一である）。インペラ３１５ａ、３１５ｂは、ハブ部分３１７と、ハブ部分から半径方向に延び、ハブ部分に接続している平坦前進角付き（完全な長さの）ブレード（「ベーン」と呼ばれることがある）３１６とを含む。（或いはブレードは、後退角付き又は半径方向であり得る）。各ブレードは、ハブ３１７から延びる垂直（回転軸線に平行な）平坦部分を含む。環状リブ／リング３１８がブレード３１６内に形成されており、ブレード３１６間に延び、ブレードの周囲に剛性を与える。リングは、各ステータリング出口３８１、３８２に向かって湾曲し、ブレードに剛性を与えると共に、対応するステータリング内に空気流も案内する。ハブの途中まで延びる複数の短いスタブ（部分的な長さの）ブレード３１６ｂ（「スプリッタブレード」とも称される）が完全な長さのブレード３１６間に空間をあけて配置されている。示される例示的実施形態では、隣接する完全な長さのブレードの各対間に３つのスタブブレードがある。環状リブ３１８はまた、スタブブレード３１６ｂ内に形成されると共に、スタブブレード３１６ｂ間に延びるため、スタブブレード３１６ｂを支持する。スタブブレードは、ハブにおける空隙を減少させる、ハブまで延びる材料を必要とすることなく、付加的なブレードによって通常得られる付加的な圧力を提供する。ハブにおける空隙の減少は、送風機３１０の最大流れ性能を低減する。ブレードの数が多すぎる（したがって、ブレードが多すぎることによりハブにおける空隙が少なすぎる）場合、入口流が閉塞し、送風機の出口空気流を制限する。したがって、図２３のインペラは、図１３〜図１９を参照して上述した単一のインペラのデュアル軸方向出口送風機に関して上述したものと同じ関連の利点を有するが、回転方向に応じた圧力を優先的に生成するように、回転方向に対して前方に湾曲したブレードを用いて更に最適化されている。
【０１３１】
ハウジングは、第１の環状壁３７３を取り囲む第１のステータリング２８１と、第３の環状壁３７３ｂを取り囲む第２のステータリング２８２とを含む。ステータリング２８１、２８２は、図１３の単一のインペラの実施形態に関して上述したものである。第１のインペラ３１５ａは、インペラのリング３１８が第１のステータリング２８１の渦巻路２８５まで湾曲するように構成されており、第２のインペラ３１５ｂは、インペラのリング３１８が第２のステータリング２８２の渦巻路２８６まで湾曲するように構成されている。
【０１３２】
ロータ２２６並びに第１のインペラ３１５ａ及び第２のインペラ３１５ｂの組立体が回転すると、第１のインペラは、第１のステータリング２８１において圧力及び流れを生成し、第２のインペラは、第２のステータリング２８２において圧力及び流れを生成する。しかしながら、第１の回転方向に関して、第１のインペラ３１５ａのブレードは、前進しているか又は前方に湾曲しており、第２のインペラ３１５ｂのブレードは、後退しているか又は後方に湾曲している。第１のインペラのブレードと第２のインペラのブレードとの反対の湾曲により、第１の回転方向に回転しているとき、第１のインペラは、第２のインペラが第２のステータリング２８２において生成するよりも大きい圧力を第１のステータリング２８１において生成する。また、第２の回転方向に回転しているとき、第２のインペラは、第１のインペラが第１のステータリング２８１において生成するよりも大きい圧力を第２のステータリング２８２において生成する。更に、第１のステータリングの渦巻路は、第１の回転方向に回転しているとき、第２の回転方向に回転しているときに比べて、空気流の接線速度成分のより大きい部分を第１のインペラから受け入れるように構成されている。また、第２のステータリングの渦巻路は、第２の回転方向に回転しているとき、第１の回転方向に回転しているときに比べて、第２のインペラから空気流の接線速度成分のより大きい部分を受け入れるように構成されている。したがって、ロータ並びに第１のインペラ及び第２のインペラの組立体が第１の回転方向に回転しているとき、第２の軸方向出口に比べて、第１の軸方向出口からより大きい圧力及び／又は流れが発生する。また、ロータ並びに第１のインペラ及び第２のインペラの組立体が第２の回転方向に回転しているとき、第１の軸方向出口に比べて、第２の軸方向出口からより大きい圧力及び／又は流れが発生する。したがって、いくつかの実施形態では、第１の回転方向におけるインペラの回転は、第１の出口２８５からの第１のガス流、第２の出口２８６からの第２のガス流を発生させ、第１のガス流は、第２のガス流よりも大きい。
【０１３３】
いくつかの実施形態では、第１のステータリング２８１の渦巻路２８５は、第１のインペラチャンバ２０ａから延び、第１の回転方向に回転しているとき、第１のインペラによって発生した空気流の接線速度成分の少なくとも大部分を受け入れ、第２のステータリング２８２の渦巻路２８６は、第２のインペラチャンバ２０ｂから延び、第２の回転方向に回転しているとき、第２のインペラによって発生した空気流の接線速度成分の少なくとも大部分を受け入れる。したがって、モータの回転方向を変えることによってロータ並びに第１のインペラ及び第２のインペラの組立体の回転方向を単に変えることにより、ハウジングの第１の軸方向出口又は第２の軸方向出口の主にいずれかからの空気流が案内され得る。好適な実施形態では、第１のインペラ３１５ａ及び第１のステータリング２８１は、第２のインペラ３１５ｂ及び第２のステータリング２８２と同一であるが、第１の回転方向におけるインペラ及びロータの組立体の回転が第１の出口からの第１のガス流及び第２の出口からの第２のガス流を発生させ、且つ反対の第２の回転方向におけるインペラの回転が第２の出口からの第１のガス流及び第１の出口からの第２のガス流を発生させるように、１つのインペラ及びステータリングは、他のインペラ及びステータリングに対してインペラの回転軸線上で１８０度反転されている。第１のガス流は、第２のガス流よりも大きい。換言すると、所与のインペラ速度に対し、第１の回転方向において、第１の出口を通じて特定の流量が提供され、第２の回転方向において、同じ流量が第２の出口によって提供される。しかしながら、代替的な実施形態では、インペラ及び／又はステータリングは、第１の回転方向及び第２の回転方向において、所与の速度に対し、第１の軸方向出口及び第２の軸方向出口から異なる流れを提供するように構成され得る。
【０１３４】
モータは、インペラを回転させて所望の出力空気流（圧力及び／又は流量の両方）を生成するために、電源と、コントローラとを使用して制御される。空気は、ロータ及びデュアルインペラの組立体の回転によって軸方向入口のアパーチャ内に引かれ、第１のインペラ及び第２のインペラにより第１のステータリング及び第２のステータリングに案内される。各ステータリングは、流れを減速して圧力を生成し、流れは、送風機のステータリング／軸方向出口を軸方向に出るように案内される。
【０１３５】
上述の軸方向出口送風機はまた、第１の出口マニホールドと、第２の出口マニホールドとを含み得る。第１の出口マニホールドは、第１のステータリングの出口２８２から流れを受け入れ、この流れを第１のステータリングから第１の出口マニホールドの出口に案内するための入口を含み得る。同様に、第２の出口マニホールドは、第２のステータリングの出口２８２から流れを受け入れ、この流れを第２のステータリングから第２の出口マニホールドの出口に案内するための入口を含み得る。第１の出口マニホールド及び第２の出口マニホールドのそれぞれの出口は、単一の出口であり得、軸方向出口であり得る。
【０１３６】
前述の記載において、整数又はその既知の均等物を有する構成要素を参照してきたが、これらの整数は、個々に記載するかのように本明細書に組み込まれる。
【０１３７】
本発明の前述の記載は、その好適な形態を含む。特許請求の範囲によって定義される本発明の範囲から逸脱することなく修正形態がなされ得る。
【図１】
2019514594.tif 000004
【図２】
2019514594.tif 000005
【図３】
2019514594.tif 000006
【図４】
2019514594.tif 000007
【図５Ａ】
2019514594.tif 000008
【図５Ｂ】
2019514594.tif 000009
【図６】
2019514594.tif 000010
【図７】
2019514594.tif 000011
【図８】
2019514594.tif 000012
【図９】
2019514594.tif 000013
【図１０】
2019514594.tif 000014
【図１１】
2019514594.tif 000015
【図１２】
2019514594.tif 000016
【図１３】
2019514594.tif 000017
【図１４】
2019514594.tif 000018
【図１５】
2019514594.tif 000019
【図１６】
2019514594.tif 000020
【図１７】
2019514594.tif 000021
【図１８】
2019514594.tif 000022
【図１９】
2019514594.tif 000023
【図２０】
2019514594.tif 000024
【図２１】
2019514594.tif 000025
【図２２】
2019514594.tif 000026
【図２３】
2019514594.tif 000027
【図２４】
2019514594.tif 000028
【国際調査報告】
2019514594.tif 000029
2019514594.tif 000030
2019514594.tif 000031
2019514594.tif 000032
2019514594.tif 000033
2019514594.tif 000034